(57)【要約】【課題】  携帯通信端末のカメラ機能を利用して撮像した画像と通信相手との関連付けを容易にできるとともに、撮像された画像の管理を容易にできる携帯通信端末を提供する。【解決手段】  電話帳を記憶する記憶手段と、通信相手を特定するための特定手段と、被写体を撮像する撮像手段と、情報を出力する出力手段と、特定手段により通信相手が特定された状態にて撮像手段を起動させ、該撮像手段により撮像された画像を電話帳に登録される当該通信相手に関連付けて、前記電話帳に登録するとともに、該通信相手に関して前記出力手段に出力させる際に関連付けた画像及び電話帳情報を出力させる制御手段と、を具備する。【選択図】        図１
2005176208.tif 000002
【特許請求の範囲】
【請求項１】
電話帳を記憶する記憶手段と、
通信相手を特定するための特定手段と、
被写体を撮像する撮像手段と、
情報を出力する出力手段と、
前記特定手段により通信相手が特定された状態にて前記撮像手段を起動させ、該撮像手段により撮像された画像を前記電話帳に登録される当該通信相手に関連付けて、前記電話帳に登録するとともに、該通信相手に関して前記出力手段に出力させる際に関連付けた画像及び電話帳情報を出力させる制御手段と、を具備する
ことを特徴とする携帯通信端末。
【請求項２】
前記制御手段は、前記特定された通信相手に関する情報を、前記撮像された画像のファイル名の一部又は全部に利用する
ことを特徴とする請求項１に記載の携帯通信端末。
【請求項３】
前記制御手段は、前記撮像手段により複数の画像が撮像された場合、これらを一群として管理し、前記出力手段に出力させる際、前記特定された通信相手に関係づけられた一群の画像をまとめて出力できるようにする
ことを特徴とする請求項１または請求項２に記載の携帯通信端末。
【請求項４】
前記特定手段は、前記電話帳から選択された相手先を前記通信相手として特定し、
前記制御手段は、前記特定された通信相手宛のメールに該通信相手に関連付けられた画像を添付して前記出力手段に送信させる
ことを特徴とする請求項１から請求項３のいずれかに記載の携帯通信端末。
【請求項５】
前記制御手段は、前記撮像手段による撮像後メーラを起動し、該メーラにて作成されるメールの送信先として、前記特定された通信相手のアドレスを設定する
ことを特徴とする請求項４に記載の携帯通信端末。
【請求項６】
前記特定手段は、着信時に受ける着信電話番号あるいは発信履歴にある発信電話番号から前記通信相手を特定し、
前記制御手段は、前記電話帳に登録される通信相手からの着信の際に前記出力手段に表示させる着信時画像として、前記撮像された画像を前記特定された通信相手に関連付ける
ことを特徴とする請求項１または請求項２に記載の携帯通信端末。
【発明の詳細な説明】
【技術分野】
【０００１】
本発明は、撮像可能な携帯通信端末に関する。
【背景技術】
【０００２】
現在では、カメラ機能、及び電話帳機能を有する携帯通信端末が普及している。このような携帯通信端末では、ユーザが撮影した画像にはファイル名が自動的に設定されてメモリに保存できるようになっている。また、保存された画像ファイルを電話帳に登録された特定の相手にメール添付して送信することもできるようになっている。
【０００３】
ここで、ユーザが携帯通信端末のカメラ機能を利用して撮影を行いメモリに保存された画像ファイルを、電話帳に登録された特定の相手へメール送信する場合における従来の携帯通信端末の動作例を、図１０〜１２を参照し説明する。図１０、１１はこのときの動作フロー、図１２はこれらに対応する画面遷移を示す図である。
【０００４】
まず、Ｓ６００において携帯通信端末のカメラ機能を起動すると、当該携帯通信端末は、図１２に示す待受け画面（７００）から同図７０１に示すカメラモードの画面に遷移する。この状態でユーザは被写体の撮影を行う（Ｓ６０２、図１２：７０２）。次いでメニューから撮影画像のメール送信を選択すると（図１２：７０３）、Ｓ６０４においてＹｅｓと判定され、Ｓ６０５において撮影した画像のファイル名が自動的に設定され、Ｓ６０６においてメモリに保存される（図１２：７０４）。この撮像された画像の保存の際、そのファイル名には撮影した日付や時間が自動的に設定されるのが一般的である。
【０００５】
次いで、Ｓ６０７においてカメラ機能が終了され、Ｓ６０８においてメーラが起動される。Ｓ６０９においてメールが新規作成されると、Ｓ６１０にて、必要に応じてメモリに保存された画像ファイルがメールに添付される（図１２：７０５）。
Ｓ６１２において電話帳から送信相手の選択がなされ（図１２：７０６、７０７）、メールの宛先に、選択された送信相手のメールアドレスが設定される（図１２：７０８）。
【０００６】
そして、ユーザによるメールを送信するための所定のキー操作により、Ｓ６１４においてメールが送信されＳ６１５においてメーラが終了する（図１２：７０９）。
メーラ終了後、Ｓ６００に戻りカメラ機能が再起動し（図１２：７０１）、Ｓ６０３において再撮影するかどうかを選択可能となる。なお、カメラ機能の起動後、Ｓ６０１、Ｓ６０４、Ｓ６１１またはＳ６１３において一連の処理を任意に終了することができる。
【０００７】
上記のように、ユーザが撮影してメモリに保存された画像ファイルを電話帳に登録された特定の相手へ複数回メール送信する場合、Ｓ６００、Ｓ６０２、Ｓ６０５、Ｓ６０６、Ｓ６０７、Ｓ６０８、Ｓ６０９、Ｓ６１０、Ｓ６１２、Ｓ６１４、Ｓ６１５の作業を複数回繰り返すことになるが、メールを送信する相手が同一である場合、メールの宛先が同じであるのにもかかわらず、Ｓ６１２において電話帳から送信相手を選択し（図１２：７０６、７０７）、メールの宛先に送信相手のメールアドレスを再設定しなければならない（図１２：７０８）。また、送信されるメールに添付された画像ファイル名は日付や時間である場合が多く、何を撮影した画像であるか、誰に送信した画像であるかを一目で判断するのは困難であった。
【０００８】
他方、特許文献１の技術のように、現在では、着信時に発信者を識別し、その相手ごとに画像を表示させる機能をもつ携帯通信端末も普及している。このような携帯通信端末では、着信時に、カメラによって撮影された発信者の写真（着信時画像）を表示することで、相手を確認することが可能となっている。
【０００９】
このような携帯通信端末で、着信時に発信者ごとの着信時画像を表示するためには、相手の電話番号を電話帳に登録し、その電話番号からの着信時に表示する画像として、相手の写真を登録するという手順になっている。つまり電話帳から特定の相手を選択し、その後で当該携帯通信端末に保存された画像（写真）の中から使用する画像を選択するため、２度の選択を要する手順となっている。
【００１０】
現在の携帯通信端末は、保存領域の増大につれ、電話帳の登録件数、画像の保存件数が増加しており、特定の相手、画像を選択することが容易ではなくなってきている。電話帳の登録内容については名前による検索を使用することで簡略化されるが、画像の場合には保存時の名称をユーザが正確に記憶しておくことは困難であり、検索による効率化も望めないのが実情である。
【特許文献１】特開２００１−３０８９６４号公報
【発明の開示】
【発明が解決しようとする課題】
【００１１】
本発明は、上記の点に鑑みてなされたもので、携帯通信端末のカメラ機能を利用して撮像した画像と通信相手との関連付けを容易にできるとともに、撮像された画像の管理を容易にできる携帯通信端末を提供するものである。
【課題を解決するための手段】
【００１２】
上記課題を解決するため、本発明の携帯通信端末は、電話帳を記憶する記憶手段と、通信相手を特定するための特定手段と、被写体を撮像する撮像手段と、情報を出力する出力手段と、前記特定手段により通信相手が特定された状態にて前記撮像手段を起動させ、該撮像手段により撮像された画像を前記電話帳に登録される当該通信相手に関連付けて、前記電話帳に登録するとともに、該通信相手に関して前記出力手段に出力させる際に関連付けた画像及び電話帳情報を出力させる制御手段と、を具備することを特徴としている。
【００１３】
また、前記制御手段は、前記特定された通信相手に関する情報を、前記撮像された画像のファイル名の一部又は全部に利用することが好ましい。
【００１４】
また、前記制御手段は、前記撮像手段により複数の画像が撮像された場合、これらを一群として管理し、前記出力手段に出力させる際、前記特定された通信相手に関係づけられた一群の画像をまとめて出力できるようにすることが好ましい。
【００１５】
また、前記特定手段は、前記電話帳から選択された相手先を前記通信相手として特定し、前記制御手段は、前記特定された通信相手宛のメールに該通信相手に関連付けられた画像を添付して前記出力手段に送信させることが好ましい。
【００１６】
また、前記制御手段は、前記撮像手段による撮像後メーラを起動し、該メーラにて作成されるメールの送信先として、前記特定された通信相手のアドレスを設定することが好ましい。
【００１７】
また、前記特定手段は、着信時に受ける着信電話番号あるいは発信履歴にある発信電話番号から前記通信相手を特定し、前記制御手段は、前記電話帳に登録される通信相手からの着信の際に前記出力手段に表示させる着信時画像として、前記撮像された画像を前記特定された通信相手に関連付けることが好ましい。
【発明の効果】
【００１８】
本発明によれば、特定手段により通信相手が特定された状態にて前記撮像手段を起動させ、該撮像手段により撮像された画像を前記電話帳に登録される当該通信相手に関連付けて前記電話帳に登録するとともに、該通信相手に関して前記出力手段に出力させる際に関連付けた画像及び電話帳情報を出力させるので、カメラ機能を利用して撮像した画像と通信相手との関連付けを容易にできるとともに、撮像された画像の管理が容易になる。
【発明を実施するための最良の形態】
【００１９】
以下、本発明の実施の形態を、図面を参照して説明する。
図１は、本発明の一実施の形態である携帯通信端末の外観図、図２は、その概略構成を示すブロック図である。なお、図１および図２において、同一部分には同じ符号を附している。
【００２０】
符号１は携帯通信端末の本体、２はアンテナ、３は表示部、４はキー操作部、５は通話用スピーカ部、６はマイク部、７はスピーカ部、８はカメラ、９は無線通信処理部、１０は制御部、１１は音声処理部、１２は記憶部、１３はカメラ制御部である。
表示部３は、液晶表示装置等からなる表示手段である。
キー操作部４は、電話番号入力用のテンキー、各種ファンクションキーなどが設けられた入力手段である。また、ユーザは、このキー操作部４をキー操作することにより、各種機能の選択やカメラ機能を利用した撮影を行うことができる。
【００２１】
通話用スピーカ部５は、音声処理部１１により駆動され通話音声を出力し、マイク部６は、携帯通信端末１を使用するユーザの音声を受けこれを音声信号に変換し音声処理部１１に出力する。
スピーカ部７は、音声処理部１１により駆動され、着信音などを再生する。
カメラ８は、ＣＣＤ（Charge-Coupled Devices）等の撮像素子及びレンズ等の光学素子及び露出調整およびピント調整等の撮影条件を調整する調整機構を含んで構成される撮像手段である。
【００２２】
無線通信処理部９は、送信データを搬送波に乗せてアンテナ２から送信し、また、アンテナ２を介して着信した着信信号を復調して制御部１０へ出力する。
制御部１０は、携帯端末１を構成する各部を制御する。この制御部１０は図示しないＣＰＵ（中央処理装置）と、このＣＰＵを動作させる制御プログラムを記憶したＲＯＭ（Read-Only Memory）、データ記憶用のＲＡＭ（Random-Access Memory）から構成されている。
【００２３】
音声処理部１１は、音声ＣＯＤＥＣ（COder／DECoder）を有し、制御部１０を介して供給される通話音声信号を復号して通話用スピーカ部５に出力し、マイク部６から入力された音声信号を圧縮符号化し制御部１０を介して無線通信処理部９に送出する。また、この音声処理部１１は、着信音等を再生するための音源を有し、制御部１０の制御により着信音等のオーディオ信号をスピーカ部７に供給する。
【００２４】
記憶部１２はダウンロードした楽曲等のオーディオデータや、電話帳（電話帳プログラム及びそのデータ）、アドレス帳（アドレス帳プログラム及びそのデータ）、カメラ８により撮影した画像（画像ファイル）などを記憶する記憶手段であり、ＲＡＭやＥＥＰＲＯＭ（Electrically Erasable Programmable Read-Only Memory）等を用いて構成される。
カメラ制御部１３は、制御部１０による制御を受け、カメラ８の露出調整およびピント調整等の撮影条件を調整する調整機構を制御する。
【００２５】
なお、本実施の形態における携帯通信端末１は、いわゆるＣＤＭＡ（符号分割多重接続）方式やＰＤＣ（Personal Digital Cellular System）方式などの携帯電話機やＰＨＳ（Personal Handyphone System）のほか、通信手段を内蔵するか外部の通信手段と接続するＰＤＡ（Personal Digital Assistants：個人用情報機器）と称される携帯型の端末を含むものとする。
【００２６】
次に、このように構成された本実施形態の携帯通信端末１の動作について説明する。
なお、下記に説明する各動作フローは各実施例について例示するものであり、これらの処理の流れに限定されるものではない。
【００２７】
はじめに、カメラ機能を利用して撮像した画像をメールに添付し送信する処理（第１実施例）について、図３〜５を参照し説明する。図３、４は、その動作フローチャートであり、図５は対応する画面遷移を示す図である。
初期状態では、携帯通信端末１は、図５に示す待受画面を表示している（２００）。
【００２８】
はじめに、ユーザが電話帳（プログラム）を起動させる（Ｓ１００）。この電話帳には、カメラ８での撮影を可能として撮像された画像をメールに添付し送信するためのサブメニューが設けられており、このサブメニューからの選択（図５：２０１）、あるいは、これに対応するキー操作部４を用いた所定のキー操作により（Ｓ１０１）、カメラ機能を呼び出し以下の処理を実行するカメラ撮影送信モードとなる。Ｓ１０２において電話帳から送信相手を選択すると（図５：２０２）、Ｓ１０３において電話帳（プログラム）は終了する。このとき、制御部１０は、選択された送信相手の情報（氏名、メールアドレス等）を一時記憶する。
【００２９】
引き続き、Ｓ１０４においてカメラ機能が起動する（図５：２０３）。この状態で、Ｓ１０６においてユーザは被写体の撮影を行う（図５：２０４）。
ここで撮影された画像（画像ファイル）には、Ｓ１０９においてファイル名が自動的に設定され、Ｓ１１０にて記憶部１２に保存される（図５：２０５）。なお、ファイル名は撮影した日付や時間が自動的に設定されるのが一般的であるが、電話帳からカメラ機能を呼び出した場合は送信相手の名前などの、電話帳に記録された送信相手の情報を自動的にさらに付加して設定する。あるいは、ファイル名としてその全部に、電話帳に記録された送信相手の情報を利用し設定する。
【００３０】
画像ファイルの保存が終了すると、Ｓ１１１においてカメラ機能が終了し、Ｓ１１２においてメーラが起動する。そしてＳ１１３においてメールが新規作成されると、Ｓ１１４において記憶部１２に保存された画像ファイルがメールに添付される。さらにＳ１１５において、Ｓ１０２で選択された送信相手のメールアドレス（電話帳情報の１つ）がこれから送信するメールの宛先として自動的に設定される（図５：２０６）。次いで、ユーザによりメール送信のキー操作が行われると、Ｓ１１６にてＹＥＳと判定され、Ｓ１１７においてメールが送信される。そして、Ｓ１１８においてメーラが終了し（図５：２０７）、この後、Ｓ１０４に戻りカメラ機能が再起動する（図５：２０３）。
【００３１】
なお、図３、４に示すフローでは、Ｓ１０６における被写体の撮影後、再撮影するかどうかを選択可能であり、再撮影のためのキー操作が行われると、Ｓ１０７の判断にてＹｅｓと判定され、Ｓ１０５に戻り再撮影を可能とする。再撮影により複数得られる画像ファイルのそれぞれには、前述のように電話帳に記録された送信相手の情報が自動的に付加される。これにより、特定の送信相手に関係する複数の画像ファイルのグループ（一群）を送信相手毎にまとめて管理することができるようになり、また、このように管理される画像ファイルの一群をまとめて、指定された送信相手宛にメール添付し送信することもできる。
【００３２】
また、Ｓ１０５、Ｓ１０８またはＳ１１６において一連の処理を任意に終了することができる。Ｓ１０５において終了する場合は、Ｓ１２４においてカメラ機能を終了し、初期状態に戻る（図５：２００）。Ｓ１０８において終了する場合は、Ｓ１１９において撮像された画像のファイルに、ファイル名が前述と同様に自動的に設定され、Ｓ１２０において画像ファイルが記憶部１２に保存される（図５：２０５）。そして、Ｓ１２１においてカメラ機能を終了し、初期状態に戻る（図５：２００）。また、Ｓ１１６において終了する場合は、Ｓ１２２において、作成済みのメールのファイルが記憶部１２に保存され、Ｓ１２３においてメーラを終了し、初期状態に戻る（図５：２５０）。
【００３３】
以上のように、電話帳に登録された特定の相手へユーザが撮影した画像を送信する場合、電話帳からカメラ機能を呼び出し、以上に説明した処理を行うことにより、ユーザが送信相手のメールアドレスを設定することなく、また、撮影した画像のファイル名を記憶する必要もなく、メールに画像を添付して送信することができる。
また、日付・時刻等に加え電話帳に登録された特定の相手の名前などを、撮影した画像のファイル名に付加する（あるいは全部に用いる）ことで、どの画像ファイルが何を撮影したものであるかを、ユーザにとって分かりやすいものにすることができ、画像ファイルの整頓・管理の効率化を図ることができる。
【００３４】
さらに、ステップＳ１１１でのカメラ機能終了後、Ｓ１１２〜Ｓ１１８で、メーラを起動し、メールを送信して、メーラを終了するとＳ１０４に戻るようにしたため、一連の処理を完了するまでの間は、繰り返し撮影を行え、撮影した画像を、ステップＳ１０２にて指定した送信相手を宛先に設定したメールで容易に何度も繰り返し送信することができる。また、ステップＳ１０８では、この段階で（Ｎｏの判定で）ステップＳ１１９に分岐し一連の処理を終了できるようにしているが、ステップＳ１０８の判断を省略し、ステップＳ１０７の後ステップＳ１０９以降の処理が引き続き行われるようにしてもよい。この場合、撮影が終わってカメラ機能終了後、ステップＳ１１２にて直ちにメーラが起動する。以後、上記のようにステップＳ１０２にて指定した送信相手を宛先に設定したメールで容易に何度も繰り返し送信することができるとともに、撮影を繰り返し行える。
【００３５】
次に、着信時に表示する着信時画像の登録処理（第２実施例）について、図６〜９を参照し説明する。図６〜８は、その動作フローチャートであり、図９は対応する画面遷移を示す図である。
【００３６】
最初、Ｓ３００において携帯通信端末１は待受け状態となっている（図９：５００）。
ここで着信があったとする。すると、Ｓ３０１の判断においてＹＥＳと判定される。着信信号は、アンテナ２、無線通信処理部９を経由して、制御部１０へ着信が伝えられ、表示部３には発信元の名前、電話番号、設定された画像を表示し（Ｓ３０２，図９：５０１）、スピーカ７から着信音が再生される。
【００３７】
次いで、ユーザがキー操作部４を用いて着信に応答するためのキー操作をすると、Ｓ３０３においてＹＥＳと判定されＳ３０４に移行し通話中の状態となり、発信者と着信者間で通話が行われる（図９：５０２）。
ここで、キー操作部４の操作により通話の切断が行われた場合、Ｓ３０５の判断にてＹＥＳと判定され待受け状態（初期状態）に戻る。
【００３８】
一方、ユーザが通話中にキー操作部４を用いた所定のキー操作によりカメラ機能を起動すると、これによりカメラ撮影可能なカメラモードへ移行する。このとき、表示部３は、カメラ８により取り込まれた画像を表示する（図９：５０３）。この段階で、Ｓ３０６においてＹＥＳと判定されＳ３０７に移行する。
Ｓ３０７の段階で、ユーザはキー操作部４を用いた所定のキー操作により撮影を行うことができる。
【００３９】
撮影が行われると、撮像された画像（撮影画像）の保存の有無をユーザに確認させるための表示が表示部３に表示される（図９：５０４）。
ここで撮像された画像を保存しない場合は、キー操作部４を用いた所定のキー操作がなされ、Ｓ３０８においてＮＯと判定されることとなり、Ｓ３０４の通話中の状態へと戻る。一方、撮像された画像を保存する場合は、そのためのキー操作がなされ、Ｓ３０８においてＹＥＳと判定されることとなり、Ｓ３０９へ移行し、撮影された画像が記憶部１２に保存される。このとき、実施例１のように、ファイル名に撮影した日付や時間に加え、送信相手の名前などの、電話帳に記録された送信相手の情報が自動的に設定される。あるいは、ファイル名としてその全部に電話帳に記録された送信相手の情報の一部（例えば名前のみ）が設定される。
【００４０】
次いで、Ｓ３０９において記憶部１２に保存された撮影画像を、当該発信元からの着信時に表示させる着信時画像として設定するか、この設定の有無をユーザに確認させるための表示を表示部３に表示する（図９：５０５）。ここで、キー操作部４を用いた所定のキー操作により設定を行わない操作がなされると、Ｓ３０４の通話中の状態へと移行する。
【００４１】
一方、キー操作部４を用いた所定のキー操作により着信時画像設定を行うための操作がなされると、Ｓ３１０の判断にてＹＥＳと判定され、Ｓ３１１に移行する。Ｓ３１１において、撮影された画像を当該発信元からの着信時に表示させる着信時画像として設定し、その確認が表示部３に表示される（図９：５０６）。その後、通話中の状態へと移行する。
この一連の処理により、上記着信時画像を設定した発信元からの電話着信時に、設定した画像を表示することが可能となる。なお、着信時画像の設定は、電話帳に登録された当該発信元に、撮像された画像を着信時画像として関連付けこの電話帳に登録することにより行う。
【００４２】
ところで、この一連の処理が行われるとＳ３０４に戻り、Ｓ３０５にて通話が切断されるまで繰り返されるわけだが、この状態においては、通話中の相手が、すなわち通話相手として特定されるため、Ｓ３０７、Ｓ３０８で得た撮影画像を、前述の第１実施例の要領で通話していた相手を宛先として、メールで送ることもできる。この場合、このメールを受け取った相手には、電話帳に登録された画像が登録された直後に送付されることになるため、ユーザ（送信側）の電話帳を見せてもらう手間なく、画像がそのファイル名とともに確認できる。もし、好みでない画像であれば登録を変更してもらうよう促すこともできる。
【００４３】
さて、上記Ｓ３０４以降の処理は、通話中における処理を示すものであるが、着信後、通話を行わず着信時画像の設定を行う場合、すなわち、着信時にユーザが着信に応答せず、カメラ機能を起動させるキー操作を行った場合は、図７に示すＳ３１２以下の処理を行う。
【００４４】
着信時に、ユーザがキー操作部４を用いた所定のキー操作（例えば、カメラ起動の専用キー等の押下）により着信に応答することなくカメラ機能を起動すると、これによりカメラモードへ移行する。このとき、表示部３は、カメラ８により取り込まれた画像を表示する（図９：５０３）。
この段階では、Ｓ３１２の判断でＹＥＳと判定され、Ｓ３１３に移行し、カメラ撮影可能となって、ユーザはキー操作部４を用いた所定のキー操作により撮影を行うことができるようになる。
【００４５】
撮影が行われると、撮像された画像の保存の有無をユーザに確認させるための表示が表示部３に表示される（図９：５０４）。
ここで撮像された画像を保存しない場合は、キー操作部４を用いた所定のキー操作がなされ、Ｓ３１４においてＮＯと判定されることとなり、Ｓ３１３に戻り再撮影を行う。
一方、撮像された画像を保存する場合は、保存のためのキー操作がなされ、Ｓ３１４においてＹＥＳと判定されることとなりＳ３１５へ移行する。そして、Ｓ３１５にて、撮像された画像が記憶部１２に保存される。このとき、前述のようにファイル名が自動設定されて保存される。
【００４６】
次いで、記憶部１２に保存された画像を、当該発信元からの着信時に表示させる着信時画像として設定するか、この設定の有無をユーザに確認させるための表示を表示部３に表示する（図９：５０５）。ここで、この設定を行わないことを指示する操作がなされると、一連の処理を終了する。
一方、キー操作部４を用いた所定操作により着信時画像設定が指定されると、Ｓ３１７において、撮像された画像を当該発信元からの着信時に表示させる着信時画像として関連付け電話帳に登録・設定をし、その確認が表示部３に表示され（図９：５０６）、その後終了する。ここでも、一連の処理の終了後、発信元を通信相手として宛先とし、メールにより撮影画像を第１実施例のごとく送付することもでき、相手も撮影画像をそのファイル名とともに確認できる。
【００４７】
以上の処理により、着信時にその発信元の着信時画像として用いる画像を撮影し、この通信相手と撮像された画像とを関連付け電話帳に登録する処理がなされる。
この通話に入らずに撮影を行う場合だと、特に通話料金を必要とせず、特に相手と一緒にいる時に利用するのに適している。
なお、上記例は、電話着信時における処理であるが、電子メールの着信時に電子メールを開いた状態で得られる発信元の情報（この場合、メールアドレス等）から当該通信相手を特定し、この通信相手に対し撮像された画像を着信時画像として関連付け電話帳に登録するようにしてもよい。このように電子メールを開いた際に得られるメールアドレスも利用できるようにすることで、さらに効果的となる。
【００４８】
次に、携帯通信端末１から発信後に、その発信履歴を利用して発信先の通信相手と、カメラ撮影した画像を着信時画像として関連付け電話帳に登録する場合を説明する。
ここでは、着信時画像を登録する通信相手の情報（電話番号等）が発信履歴に記録されているものとする。
【００４９】
ユーザにより、発信履歴を表示させる所定のキー操作がなされると、Ｓ４０１にてＹＥＳと判定され、Ｓ４０２に移行し、Ｓ４０２にて発信履歴にある発信先情報（電話番号等）の一覧を表示部３に表示する。
この一覧から、ユーザが着信時画像を設定する通信相手を選択し、さらにカメラ機能を起動する操作をするとＳ４０３にてＹＥＳと判定され、カメラ撮影可能なカメラモードへ移行する。以後、Ｓ４０３〜Ｓ４０８の処理を行うが、これらは、前述したＳ３１３〜Ｓ３１７の処理（図７）と同じであるので、ここではその説明を省略する。
【００５０】
図８に示すように、発信履歴を利用して通信相手を特定し、特定した通信相手と撮像された画像を着信時画像として電話帳に登録することで、上記着信時画像の登録を行った発信元からの着信時に、設定した画像を着信時画像として表示することが可能となる。なお、着信時画像の表示の際、電話帳の情報、例えば発信者の氏名や電話番号等をともに表示するとよい。さらに、この場合にも、一連の処理の終了後、選択された通信相手を宛先として、メールにより撮影画像を第１実施例のごとく送付することもでき、相手にもその画像をすぐさまファイル名とともに確認できる。
【００５１】
また、着信時に表示させる着信時画像としては、その発信者の写真を設定することがほとんどと考えられる。そのため、通信相手を特定した状態にて相手を（もちろん、身近に相手が居る状態で）撮影することで、着信時に表示させる着信時画像の登録の手順を簡略化することができる。例えば、着信時画像を登録する相手と相対する状態で、自携帯通信端末１宛に発信してもらいその着信を受けて、あるいは、相手の携帯通信端末宛に発信し、その発信履歴を利用して、前述の処理を実行させるようにすると簡単に着信時画像を登録することができる。
【００５２】
以上、この発明の実施形態を、図面を参照して詳述した。もちろん、本発明の具体的な構成はこの実施形態に限られるものではなく、この発明の要旨を逸脱しない範囲の構成等も含まれる。例えば、第２実施例の場合、発信履歴を利用しているが、単一の相手を選択さえできればよく、もちろん、着信履歴を利用しても同様のことを行うことができる。すなわち、カメラ機能を起動させる場面として、前述のように発信履歴から発信先を選択する段階に加え、着信履歴から発信元を選択する段階も含めることで、さらに効果的となる。
【図面の簡単な説明】
【００５３】
【図１】本発明の一実施の形態である携帯通信端末の外観図である。
【図２】同実施の形態の携帯通信端末の概略構成を示すブロック図である。
【図３】同実施の形態の動作フローチャート（第１実施例）である。
【図４】同動作フローチャートの続きである。
【図５】同動作フローチャートに対応する画面遷移を示す図である。
【図６】同実施の形態の動作フローチャート（第２実施例）である。
【図７】同動作フローチャートの続きである。
【図８】同実施例の他の動作フローチャートである。
【図９】同実施の形態における画面遷移を示す図（第２実施例）である。
【図１０】第１実施例に対応する従来の動作を説明するフローチャートである。
【図１１】同フローチャートの続きである。
【図１２】同フローチャートに対応する画面遷移を示す図である。
【符号の説明】
【００５４】
１…携帯通信端末
２…アンテナ
３…表示部（出力手段）
４…キー操作部（特定手段）
５…通話用スピーカ部
６…マイク部
７…スピーカ部
８…カメラ（撮像手段）
９…無線通信処理部（出力手段）
１０…制御部（特定手段、制御手段）
１１…音声処理部
１２…記憶部（記憶手段）
１３…カメラ制御部（撮像手段）
【図１】
2005176208.tif 000003
【図２】
2005176208.tif 000004
【図３】
2005176208.tif 000005
【図４】
2005176208.tif 000006
【図５】
2005176208.tif 000007
【図６】
2005176208.tif 000008
【図７】
2005176208.tif 000009
【図８】
2005176208.tif 000010
【図９】
2005176208.tif 000011
【図１０】
2005176208.tif 000012
【図１１】
2005176208.tif 000013
【図１２】
2005176208.tif 000014